(57)【要約】【課題】  スライドファスナの効果的な耐密性を保証する。【解決手段】  閉止スライダ（８）の通過によって生じる２組の整列した歯（３、４）の連結によって相互に押しつけられる、相互に対向する縁（１ｂ、２ｂ）を持つ弾性材料の２つのテープ（１、２）を備えた封止用スライドファスナ（１０）について開示されている。前記２つのテープ（１、２）の少なくとも外層（１ｅ、２ｅ）および前記歯（３、４）は、化学的に溶着することのできる材料から作られる。【選択図】  図２
2011087989.tif 000002
【特許請求の範囲】
【請求項１】
相互に対向する縁（１ｂ、２ｂ）を持つ弾性材料の２つのテープ（１、２）を備え、２組の整列した歯（３、４）が閉止スライダ（８）の通過によって連結されることで前記両テープの縁が相互に押しつけられるように構成された封止用スライドファスナ（１０）であって、
前記テープ（１、２）はそれぞれ、２つの外層（１ｅ、２ｅ）と、前記２つの外層（１ｅ、２ｅ）の間に挿入された補強層（７）と、を含み、
前記歯（３、４）はそれぞれ、前記テープ（１，２）の両側に１つずつ配置された２つの半体（３ａ、３ｂ、４ａ、４ｂ）を備え、
前記歯（３、４）の前記半体（３ａ、３ｂ、４ａ、４ｂ）は射出成形されて、両方の前記テープ（１、２）の前記外層（１ｅ、２ｅ）に付けられることによって、前記両方の前記テープ（１、２）の前記外層（１ｅ、２ｅ）と化学結合によって溶着しており、
前記２つのテープ（１、２）の少なくとも外層（１ｅ、２ｅ）は熱可塑性エラストマ材料でできている、封止用スライドファスナ。
【請求項２】
前記歯（３、４）が、ポリプロピレン（ＰＰ）、ポリカーボネート（ＰＣ）、ポリエチレンテレフタレート（ＰＥＴ）、ポリブチレン（ＰＢＴ）、ポリ塩化ビニル（ＰＶＣ）、ポリアミド（ＰＡ）、およびポリスチレン（ＰＳ）を含むグループから選択された合成樹脂から形成される、請求項１に記載の封止用スライドファスナ。
【請求項３】
前記テープ（１、２）の各々が、歯の前記２つの半体の間に包囲される各領域に、歯（３、４）を形成する射出成形材料の通過を可能にする穴（５ｉ）を有する、請求項１に記載の封止用スライドファスナ。
【請求項４】
各歯（３、４）の２つの半体（３ａ、３ｂ、４ａ、４ｂ）の後部（３ｐ、４ｐ）が、前記歯が取り付けられるテープ（１、２）に対して角度（α）に傾斜した表面（Ｓ）を含み、前記表面に対し前記閉止スライダ（８）がそれに平行な支持面（Ｓ１）により作動する、請求項１〜３の１項に記載の封止用スライドファスナ。
【請求項５】
前記テープ（１、２）の各々の前記外層（１ｅ、２ｅ）が、他のテープの縁に対向しかつ押しつけられる縁に封止用ビード（６）を形成する、請求項１〜４の１項に記載の封止用スライドファスナ。
【請求項６】
前記補強層（７）が繊維材料のテープから成る、請求項１に記載の封止用スライドファスナ。
【請求項７】
前記補強層（７）が曲げおよび引張りに対し高い抵抗を有する材料の１組の繊維から成る、請求項１に記載の封止用スライドファスナ。
【請求項８】
前記補強層（７）がテープ（１、２）の前記外層（１ｅ、２ｅ）に結合できるプラスチック材料の格子から成る、請求項１に記載の封止用スライドファスナ。
【請求項９】
前記補強層（７）がテープ（１、２）の前記外層（１ｅ、２ｅ）に結合できるプラスチック材料のストリップから成る、請求項１に記載の封止用スライドファスナ。
【発明の詳細な説明】
【技術分野】
【０００１】
本発明は、密閉スライドファスナ、すなわちたとえ予め定められた範囲内の圧力下に置かれても流体の通過を防止するように作られたスライドファスナの技術分野に関する。
【背景技術】
【０００２】
この型のファスナは周知の通り、縁が相互に向き合った弾性材料の２つのテープを備え、それらは、閉止スライダの通過によって生じる２組の整列した歯の連結の結果として、それらが所望の密封を達成するように圧着される。
【０００３】
これらの歯は様々なシステムによってテープに固定され、そのうちの１つが例えば米国特許第２，９１０，７４５号に記載され、別のものが英国特許第２，０４７，３３４号に記載されている。
【０００４】
後者の文書は、歯で接合しようとするテープに前記歯を固定するために当該技術分野の現状で最も一般的に使用されるシステムを記載しており、このシステムは、２つの半体に歯を形成し、それらの間に接合しようとするテープの縁を挿置し、テープに穿孔する機械的接続手段によって前記２つの半体を一緒におよびテープに接合することに存する。
【０００５】
この解決策は実現するには複雑かつ高価であり、圧力下であるか否かに関わらず、機械的接続手段、通常は雄／雌コネクタが通過する穴から液体が容易に侵入することができるので、スライドファスナの効果的な耐密性を保証できない。
【先行技術文献】
【特許文献】
【０００６】
【特許文献１】米国特許第２，９１０，７４５号
【特許文献２】英国特許第２，０４７，３３４号
【発明の概要】
【０００７】
本発明の発明者は、歯がそれぞれのテープ上の所定の位置で射出成形によって形成されるときに、水が浸透できる細孔または穴を残すことなくそれらが化学結合によってテープに溶着されるような仕方で化学的に溶着することができる材料から、歯および歯で接合されるテープを作成することによって、前記欠点を回避する封止用スライドファスナを提供できることを見出した。
【０００８】
本発明によるファスナの組立を容易にするために、発明者は、射出成型材料を穴内に通過させることができ、かつテープの対向する側部に配置される歯の２つの半体を１回の射出成形作業でかつ簡素化された設備により形成することができるように、各テープの各歯の位置に貫通穴を形成することをも考案した。
【０００９】
本発明の課題は、請求項１の予備特徴部分に記載され、前記請求項の特徴部分に開示されたものを特徴とする封止用スライドファスナにより解決される。
【図面の簡単な説明】
【００１０】
【図１】本発明によるファスナで歯の２つの半体が取り付けられるテープの縦断面図。
【図２】歯が閉止スライダによって接合された瞬間に歯によって接続される２つのテープの縦断面図。
【図３】テープが歯の２つの半体の間に包囲されるテープの領域に穴を持つように構成された本発明による封止用スライドファスナで、２つの歯によって接続される２つのテープの平面図。
【図４】図３に示した構成における歯およびテープの部分の縦断面図。
【発明を実施するための形態】
【００１１】
次に、本発明による封止用スライドファスナの幾つかの実施例または実施形態についてより詳細に説明する。これらの実施例は、前記の請求項１に含まれる教示に基づいて当業者が考案することのできる他の様々な実施形態に対して、制限または限定するものではない。
【００１２】
前記の説明の過程で、添付の図面をも参照する。
【００１３】
図１および図３を最初に参照すると、これらの図で、本発明による封止用スライドファスナ１０（図３）が、２組の整列した歯３、４（図は１対の歯だけを示す）によって接合される２つのテープ１、２から成ることが分かる。
【００１４】
歯３、４は、ファスナの開閉のために既知の型のスライダ８（図２参照）の通過の結果として相互に押しけられる２つのテープ１、２の対向縁に沿って取り付けられる。
【００１５】
前記テープ１、２は、図４により明瞭に示される通り、前述の歯３、４によって押しつけられるそれらの対向縁の封止用ビード６で収束し終端する２つの外層１ｅ、２ｅおよびこれらの層内に挿置される補強層７から成る。
【００１６】
前記外層１ｅ、２ｅおよびしたがってそれぞれの封止用ビード６は、本発明によるファスナ１では、熱可塑性エラストマ材料から作られる。
【００１７】
図１および図４にそれぞれ１つずつ示される歯３、４は、前記テープ１、２の縁の対向面に取り付けられる２つの半体３ａ、３ｂ、４ａ、４ｂとして形成され、例えばポリプロピレン（ＰＰ）、ポリカーボネート（ＰＣ）、ポリエチレンテレフタレート（ＰＥＴ）、ポリブチレン（ＰＢＴ）、ポリ塩化ビニル（ＰＶＣ）、ポリアミド（ＰＡ）、およびポリスチレン（明らかに高密度型のＰＳ）を含むグループから選択される合成樹脂から作られる。
【００１８】
周知の方法の射出成形によって形成される歯３、４は、それらが形成される瞬間に、これらに確実に固定されたまま、圧力下であるか否かにかかわらず液体が浸透ことのできる、可能な細孔または穴を生成することなく、前記テープ１、２に化学結合によって接着する。
【００１９】
これは、この結果が、前記の通り、歯３、４およびテープ１、２の少なくとも外層１ｅ、２ｅを形成するために使用する材料が化学的に溶着することができるという事実によって達成されるからである。
【００２０】
これは本発明による封止用スライドファスナ１の基本的要求事項であり、この要求事項を満たす前記以外の材料を使用することもできる。
【００２１】
同時に２つの対向する半体３ａ、３ｂおよび４ａ、４ｂを接続しながら、歯３、４を形成するための射出成形プロセスを促進するために、発明者は、歯３、４の２つの半体の間に包囲されるテープ１、２の各領域に、当該歯を形成する射出成形材料を通過させることのできる穴５ｉ（図３、図４参照）を形成することを考案した。（２つの穴５ｉの間の距離Ｐは、歯の配置間隔に等しい。）
【００２２】
こうして、歯４の２つの半体４ａ、４ｂの確実で信頼できる相互接続が、接続頚部４ｒによって達成され、歯はファスナ１の開閉の反復される応力に耐えることができる。
【００２３】
とりわけ、前記手順に従うと、歯の射出成形の作業はより単純になり、歯の２つの半体はより簡単かつより安価な設備で実行される１回の作業で射出成形される。
【００２４】
ファスナを閉じるため、すなわち本発明による封止用スライドファスナ１０を閉じるために必要な力を低減するために、発明者は、各歯３、４の後部３ｐ、４ｐの形状を、各歯が取り付けられるテープ（１、２）に対して角度αで傾斜した表面Ｓを含むように形成することを考案した（特に図２参照）。
【００２５】
この表面Ｓをそれに平行な支持面Ｓ１で押しつけるようにした、対応する閉止スライダ８の構成により、使用者は、ファスナ１０を閉じるときにテープ１、２の前記ビード６を圧縮することのできる力Ｒ１を働かせるために、傾斜面効果によって増幅される、より小さい力Ｒで作業することが可能になる。
【００２６】
この説明を締め括るに当たり、発明者は、各歯３、４の対応するビード６の近接位置に、所望の封止を生じるために、ビード６が圧縮によって部分的に変形されたときにそれらを含むことができるように設計されたキャビティ１１を形成することを推奨する。
【図１】
2011087989.tif 000003
【図２】
2011087989.tif 000004
【図３】
2011087989.tif 000005
【図４】
2011087989.tif 000006